(57)【特許請求の範囲】
【請求項１】
中間部品、ガラス及び底部によって形成した時計ケース（２）内に収容した時計ムーブメント（３）を備える時計（１）であって、前記時計ムーブメント（３）は、少なくとも１つの針（４）を回転させるように構成し、前記時計ムーブメント（３）は、前記ガラスを通して見える文字板（５）によって覆い、前記文字板（５）は、前記時計ムーブメント（３）と前記少なくとも１つの針（４）との間に配設する、時計（１）において、前記ガラスは、ＵＶ線透過性であること、並びに前記文字板（５）は、光互変性板（６）からなり、
−前記光互変性板（６）を第１の閾値を下回る量のＵＶ線に露出すると、前記時計ムーブメント（３）が見え、
−前記光互変性板（６）を第２の閾値を上回る量のＵＶ線に露出すると、前記時計ムーブメント（３）を遮蔽する
ように構成することを特徴とする、時計（１）。
【請求項２】
前記光互変性板（６）は、ＵＶ線透過性材料から作製した板であり、前記ＵＶ線透過性材料は、光互変性材料を含有する、請求項１に記載の時計（１）。
【請求項３】
前記光互変性板（６）は、ＵＶ線透過性材料から作製した板であり、前記ＵＶ線透過性材料は、光互変性材料を含むポリマー膜の形態の光互変性層で被覆する、請求項１に記載の時計（１）。
【請求項４】
前記ＵＶ線透過性材料は、無機ガラスである、請求項２又は３に記載の時計（１）。
【請求項５】
前記ＵＶ線透過性材料は、有機ガラスである、請求項２又は３に記載の時計（１）。
【請求項６】
前記ＵＶ線透過性材料は、合成樹脂である、請求項５に記載の時計（１）。
【請求項７】
前記ＵＶ線透過性材料は、ポリカーボネート樹脂又はアクリル樹脂である、請求項５に記載の時計（１）。
【請求項８】
前記光互変性板（６）は、ハロゲン化銀及び／又は臭化銀化合物を含有する、請求項４に記載の時計（１）。
【請求項９】
前記光互変性板（６）は、オキサジン及び／又はナフトピラン化合物の分子を含有する、請求項５に記載の時計（１）。
【請求項１０】
前記光互変性板（６）は、前記光互変性板の面の少なくとも１つの上に印刷又はエッチングした刻印を備える、請求項１から９のいずれか一項に記載の時計（１）。
【発明の詳細な説明】
【技術分野】
【０００１】
本発明は、時計、詳細には、いわゆるスケルトン時計に関する。
【背景技術】
【０００２】
従来技術のスケルトン時計において、時計の文字板は、省くか、又は文字板の背後に時計ムーブメントを見せるように透過性材料若しくは多孔板から作製することができる。
【０００３】
そのような時計は、見た目はよいが、かなり明るい場合、時計ムーブメントと比較して針のコントラストが低いため、時間の読み取りが困難である。
【０００４】
更に、特にかなり明るい場合にスケルトン時計上で判読できるロゴを有するのは困難である。
【発明の概要】
【発明が解決しようとする課題】
【０００５】
本発明は、時計、詳細にはスケルトン時計を提案することによって、従来技術の欠点を改善し、これにより、輝度条件にかかわらず、時間及び任意のロゴのより容易な読み取りを可能にすることを目的とする。
【課題を解決するための手段】
【０００６】
このため、本発明の第１の態様によれば、時計ケース内に収容した時計ムーブメントを備える時計を提案し、時計ケースは、ガラス及び底部によって閉鎖される中間部品によって形成し、時計ムーブメントは、少なくとも１つの針を回転させるように構成し、時計ムーブメントは、ガラスを通して見える文字板によって覆われ、文字板は、時計ムーブメントと前記少なくとも１つの針との間に配設し、ガラスは、ＵＶ線を透過すること、並びに文字板は、
−光互変性板を第１の閾値を下回る量のＵＶ線に露出すると、時計ムーブメントが見え、
−光互変性板を第２の閾値を上回る量のＵＶ線に露出すると、時計ムーブメントを遮蔽する
ように光互変性板から構成することを特徴とする。
【０００７】
この理由は、光互変性板が、ＵＶ線の影響下で暗くなり、周囲熱の影響下で明るくなるためであり、このことは、不明瞭に可逆的に生じる。したがって、時計をＵＶ線に露出していない場合、典型的には時計を室内で着用している場合、光互変性板が可視スペクトルを透過するため、時計ムーブメントは文字板の背後に見える。一方、光互変性板をＵＶ線に露出すると、文字板は暗くなる。時計の文字板を大量のＵＶ線に露出するほど、文字板が不透明になるまでより暗くなり、これにより、時計の不透明な文字板とのコントラストによって針を明確に出現させることを可能にする。
【０００８】
第１の閾値及び第２の閾値は、光互変性板のために選択する１つ又は複数の材料によって異なる。
【０００９】
本発明の第１の態様による時計は、個々に又は全ての技術的に可能な組合せで取る以下の特徴：
−光互変性板は、ＵＶ線透過性材料から作製した板とすることができ、材料は、その集合体の中に光互変性材料を含有する；
−光互変性板は、透過性材料から作製した板とすることができ、透過性材料は、光互変性材料を含むポリマー膜、又は光互変性材料の顔料を含む塗装の形態の光互変性層で被覆される；
−ＵＶ線透過性材料は、無機ガラスとすることができる；
−ＵＶ線透過性材料は、有機ガラスとすることができる；
−透過性材料は、有機樹脂、典型的には、ＵＶ線を透過するアクリル樹脂又はポリカーボネート樹脂とすることができる；
−無機ガラスの場合、光互変性含有物は、好ましくは、ハロゲン化銀及び／又は臭化銀化合物を含有することができる；
−有機ガラスの場合、光互変性含有物は、好ましくは、典型的には、合成樹脂、好ましくは、オキサジン及び／又はナフトピラン化合物の分子を含有するアクリル樹脂又はポリカーボネート樹脂とすることができる；
−感光性板は、板のこれらの面の少なくとも１つの上に印刷又はエッチングした刻印を備えることができる；
−文字板は、時間をより読みやすくするように、光互変性板を第２の閾値を超えるＵＶ線量に露出するとに黒色を有することができる；
−１つ又は複数の針は、文字板が暗い際により見やすいように白色とすることができる
の１つ又は複数を有することもできる。
【００１０】
他の特徴及び利点は、添付の図面を参照して、決して限定ではなく表示として以下に示す説明から明らかになるであろう。
【図面の簡単な説明】
【００１１】
【図１】本発明の一実施形態による時計の概略半断面図である。
【図２】第１の閾値を下回るＵＶ量に露出された際の図１の時計の概略平面図である。
【図３】第１の閾値と第２の閾値との間にあるＵＶ量に露出された際の図１の時計の概略平面図である。
【図４】第２の閾値を上回るＵＶ量に露出された際の図１の時計の概略平面図である。
【発明を実施するための形態】
【００１２】
次に、図１から図４を参照しながら本発明の一実施形態による時計１を説明する。
【００１３】
この時計１は、時計ムーブメント３を収容する時計ケース２を備える。ケース２は、中間部品２ａ、並びにケースを閉鎖する第１の要素及び第２の要素、それぞれ、ガラス５及び底部Ｆを備える。中間部品２ａは、バンドＢを固定する４つのかんを備える。底部Ｆは、図示しないねじにより中間部品２ａに固定され、ガラス５は、従来通り、封止体を介在させて中間部品内の凹部に押し込まれる。ガラスは、ＵＶ線透過性材料から作製される。
【００１４】
時計ムーブメント３は、針４を回転させる。時計１は、文字板５も備える。文字板５は、時計ケース２を閉鎖する。文字板５は、時計ムーブメント３の真上に配設される。したがって、文字板５は、時計ムーブメント３と針４との間に介在する。
【００１５】
針４は、好ましくは、文字板上でより見やすいように明色、典型的には白色を有する。
【００１６】
文字板５は、光互変性板６によって形成され、時計ムーブメント３の真上、針４の真下に配設される。光互変性板６は、透過性材料から作製した板を備え、透過性材料は、光互変性物質を含むか、又は光互変性物質を含有する被覆物で被覆されている。
【００１７】
光互変性板６は、ＵＶ線の影響下で暗くなり、周囲熱の影響下で明るくなり、このことは、不明瞭に可逆的に生じる。この現象は、光互変性物質の分子の活性化によって得られる。光互変性板の吸収は、あらゆる瞬間で、ＵＶの刺激により活性化する感光性分子の数と、熱によって非活性化する分子の数との間の平衡によって決定される。
【００１８】
一実施形態によれば、光互変性板６は、合成樹脂、好ましくは、ＵＶ線を透過するポリカーボネート樹脂又はアクリル樹脂によって形成され、樹脂内にオキサジン及び／又はナフトピラン化合物の分子が分散している。典型的には、板の厚さは、約０．８５ｍｍである。
【００１９】
一変形形態によれば、光互変性板は、放射線透過性材料から作製した板であり、放射線透過性材料は、上記段落で説明したものと同一の光互変性材料を含むポリマー膜の形態の光互変性層で被覆される。
【００２０】
この種の板を暗くする現象、及び明るくする現象は周知であり、それぞれ、ＵＶ線の影響下、オキサジン及び／又はナフトピラン化合物の分子が壊れること、及びＵＶが消失すると、これらが再構成することから得られる。
【００２１】
別の変形形態によれば、光互変性板は、無機ガラスであり、光互変性含有物は、ハロゲン化銀及び／又は臭化銀化合物を含有する。この場合、ＵＶに露出されると、ハロゲン化銀及び／又は臭化銀の結合が壊れ、銀原子が互いに連結し、これにより、板を暗くする。ハロゲン化銀の結合は、ＵＶへの露出が停止されるとすぐに再構成され、再度、板に明るさをもたらす。
【００２２】
更に、刻印７を文字板上にエッチング又は印刷することができる。
【００２３】
図２から図４は、ＵＶ線への文字板５の露出による文字板５の色の変化を示す。
【００２４】
したがって、図２は、ＵＶ線に露出されていない際の時計を示す。この図からわかるように、この場合、文字板は、時計ムーブメントが文字板を通して見えるように透過性である。
【００２５】
図３は、少量のＵＶに露出されている際の時計を示す。この量のＵＶは、典型的には、第１の閾値と第２の閾値との間である。この場合、文字板は、時計ムーブメントが文字板を通して部分的に見えるように部分的に暗くなる。更に、針４及び刻印７は、明るさの増大にかかわらず、コントラストによって、判読できるように出現し始める。この理由は、文字板の暗さが時計ムーブメントに関連する反射を制限するためである。
【００２６】
図４は、第２の閾値量を超える量のＵＶに露出されている際の時計を示す。この場合、文字板は、時計ムーブメントを完全に遮蔽するように暗色を取っている。この場合、針４及び刻印７は、かなりの明るさにかかわらず、よく見える。
【００２７】
当然、本発明は、図面を参照しながら説明した実施形態に制限するものではなく、本発明の範囲から逸脱することなく変形形態を想定することができる。したがって、例えば、光互変性板の上に目盛りをエッチング又は印刷することができ、これにより、フランジを不要にする一方で、目盛りが見えるスケルトン時計にすることを可能にする。文字板も図示の形態以外の形態を有することができる。
【図１】
0006765018.tif 000002
【図２】
0006765018.tif 000003
【図３】
0006765018.tif 000004
【図４】
0006765018.tif 000005